(57)【要約】【課題】  不使用時に小形化が可能で、しかも組立作業も不要なプランター支持台を提供すること。【解決手段】  プランター支持台を、上部に位置する頂部材１１と、頂部材１１を支持する二対の開脚状の脚２１と、脚２１の下方に取り付けられプランターＰを載置する枠体３１と、で構成して、二本で一対となる脚２１について、一方は頂部材１１と一体化した固定脚２３、他方は回動可能な可動脚２４とするほか、枠体３１をヒンジ３５等を介して屈曲可能とする。これによって使用時は、可動脚２４を最大限まで開いてプランターＰを安定して載置でき、不使用時は、可動脚２４および枠体３１を折り畳んで小形化が可能で、流通などの際、部品毎に分割する必要がなく、組立作業も不要である。【選択図】      図１
2010207101.tif 000002
【特許請求の範囲】
【請求項１】
水平に延びる頂部材（１１）と、該頂部材（１１）を頂点として開脚状に延びる二対の脚（２１）と、該脚（２１）の下方に配置されプランター（Ｐ）を載置可能な枠体（３１）と、を備え、
前記脚（２１）は、頂部材（１１）と一体化している固定脚（２３）と、頂部材（１１）に対して回動可能に取り付けられ開脚幅を変化可能な可動脚（２４）と、が対をなしており、且つ固定脚（２３）同士および可動脚（２４）同士は同一側面に配置されており、
前記枠体（３１）は、対をなす固定脚（２３）と可動脚（２４）とを結ぶ横材（３３）と、該横材（３３）に直交する縦材（３４）と、からなり、前記横材（３３）は、固定脚（２３）および可動脚（２４）に回動可能に取り付けられ且つ中間部分がヒンジ（３５）を介して山状に屈曲可能に構成され、
横材（３３）を山状に折り畳みながら可動脚（２４）を固定脚（２３）の方に引き寄せ可能であることを特徴とするプランター支持台。
【請求項２】
前記可動脚（２４）が最も開いた状態において、固定脚（２３）と可動脚（２４）の傾斜角度が異なることを特徴とする請求項１記載のプランター支持台。
【発明の詳細な説明】
【技術分野】
【０００１】
本発明は、植物の栽培に用いるプランターを安定して載置するためのプランター支持台に関する。
【背景技術】
【０００２】
食品の安全性に対する懸念や、自然に対する関心の高まりから、自宅の庭などで野菜類を栽培する「家庭菜園」が根強い人気を集めており、最近では庭を確保することが難しい集合住宅でも、ベランダにプランターを設置して、トマトや茄子などを栽培するケースもある。トマトなどは比較的背丈が高く、しかも果実の重量も大きいため、支柱を用いて茎を支える必要があるが、単にプランターに支柱を突き刺しただけでは、土中に埋め込まれる深さが不足しやすく、安定性に問題がある。また植物が大きく成長すると、必然的に重心が高くなり、風などでプランターごと横転する恐れがある。
【０００３】
そのため本願発明者は、下記特許文献に開示されるプランター支持台を開発している。この支持台は、開脚状に配置された脚によって上部の横杆と中間部の枠体を支える構造で、枠体でプランターの額部分が載置され、また支柱を横杆に差し込むことで、支柱が傾くことなく保持される。しかも脚の下部はプランターよりも大きく開いており、風などでプランターが横転する恐れもないなど、優れた特徴を有している。
【先行技術文献】
【特許文献】
【０００４】
【特許文献１】特許２７４２４０３号公報
【発明の概要】
【発明が解決しようとする課題】
【０００５】
特許文献１に示されるプランター支持台は、前記のように優れた特徴を有しているが、その効果を発揮するには、横杆を高所に架設した上、十分な開脚幅を確保する必要があり、構造の割には占有空間が大きく、輸送や販売や保管といった面では不利な点がある。そのため現状では、横杆や脚など部品毎に分解した状態で流通経路に乗せており、購入者が自ら組立作業を行っている。この組立作業を円滑に実施できるよう、製品には詳細なマニュアルを添付しているが、このような作業に慣れていない人の場合、完成までに膨大な時間を要することがあり、また組立を間違えて、本来の性能を発揮できない状態で使用される恐れがあるなど、幾つかの課題が判明している。
【０００６】
本発明はこうした実情を基に開発されたもので、不使用時に小形化が可能で、しかも組立作業も不要なプランター支持台の提供を目的としている。
【課題を解決するための手段】
【０００７】
前記の課題を解決するための請求項１記載の発明は、水平に延びる頂部材と、該頂部材を頂点として開脚状に延びる二対の脚と、該脚の下方に配置されプランターを載置可能な枠体と、を備え、前記脚は、頂部材と一体化している固定脚と、頂部材に対して回動可能に取り付けられ開脚幅を変化可能な可動脚と、が対をなしており、且つ固定脚同士および可動脚同士は同一側面に配置されており、前記枠体は、対をなす固定脚と可動脚とを結ぶ横材と、該横材に直交する縦材と、からなり、前記横材は、固定脚および可動脚に回動可能に取り付けられ且つ中間部分がヒンジを介して山状に屈曲可能に構成され、横材を山状に折り畳みながら可動脚を固定脚の方に引き寄せ可能であることを特徴とするプランター支持台である。
【０００８】
本発明は、前記特許文献１によるプランター支持台を改良したもので、一部の脚を可動構造とすることで、流通や保管などの際には、脚や枠体を畳み込んで占有空間を削減できることを特徴としており、基本的には、頂部材と脚と枠体の三要素で構成される。頂部材は、水平に延びる棒状の部材であり、物品の最上部に位置しており、支柱の一体化や植物を支える機能を有する。また脚は、頂部材および枠体を所定の高さに保持するもので、頂部材の端面方向から見て、頂部材を頂点とする開脚形状であり、二本で一対を構成しており、頂部材の両端部に一対ずつ配置されている。そして枠体は、プランターの額部分を支持する枠状のもので、内部はプランターを収容するため切り抜かれており、脚の中央よりもやや下方に固定されている。
【０００９】
二本で一対を構成する脚について、一方の脚の上端部は頂部材と一体化しているが、他方の脚の上端部は頂部材に対して回動可能に取り付けられており、一体化している方を固定脚、回動可能な方を可動脚とする。可動脚の回動は、開脚幅を広げたり狭めたりする方向に限定され、プランターを載置する際は可動脚を最大に広げて安定性を確保し、保管時は可動脚を固定脚に密着させて占有空間を削減する。なお、頂部材と可動脚との取り付け方法は自在に選択できるが、具体例としては、頂部材の下面から可動脚を挟み込む板片などを設けて、双方を貫通するボルト類を差し込む構造が挙げられる。
【００１０】
脚は、頂部材の両端部に一対ずつ配置されるが、個々の固定脚および可動脚を任意に配置することはできず、固定脚同士および可動脚同士は、同一側面に並べる必要がある。ここで同一側面とは、頂部材の長手方向に平行する側面を意味している。したがって頂部材の端面方向から見た場合、固定脚は二本とも左側にあり、可動脚は二本とも右側にあるといった構成になる。
【００１１】
枠体は、プランターの額部分を載置するため、横材と縦材を格子状に組み合わせたもので、横材は、対をなす固定脚と可動脚を結ぶように配置され、プランターの短辺部分を載置する。また縦材は、二本の横材を結ぶように配置され、プランターの長辺部分を載置する。横材は固定脚と可動脚によって所定の位置に保持されるが、可動脚の回動に追従する必要がある。そのため、横材は中間部分で分割されており、この分割位置にヒンジを取り付けて屈曲可能な構造としており、可動脚を折り畳む際は、分割位置を頂点として横材が山状に屈曲していく。したがって可動脚が完全に折り畳まれた際は、横材が二本に折り曲げられた状態になる。
【００１２】
可動脚の回動に伴って、脚と横材との位置関係が変化していくため、横材は、固定脚および可動脚のいずれとも不動状態で一体化することはできず、頂部材の長手方向を軸とする回転移動を許容する必要がある。これを実現する方法は自在に選択できるが、具体例としては、脚および横材を貫通するボルト類を差し込む構造が挙げられる。なお可動脚を最も開いた状態において、枠体が水平になるよう、脚と枠体との取り付け位置を決める必要がある。そのほか脚を折り畳む際、脚と枠体との干渉を防止するため、枠体は、二対の脚の内側に配置することが好ましい。
【００１３】
なお本発明では、ヒンジを介して横材を屈曲可能な構造としているが、プランターの荷重による横材の屈曲を防止する必要がある。そのため、横材の下面にヒンジを組み付けておき、使用時には横材の分割面同士を接触させて、谷状に屈曲することを防ぐなどの対策を行う。
【００１４】
このように構成することで、可動脚を畳み込む方向に回動させていくと、可動脚に連結している枠体も山状に屈曲して次第に折り畳み込まれていき、最終的には可動脚が固定脚に隣接するほか、枠体も二つに折り畳まれて脚とほぼ同面に収容され、使用時に対して占有空間が大きく減少する。
【００１５】
請求項２記載の発明は、脚の構成に関するもので、可動脚が最も開いた状態において、固定脚と可動脚の傾斜角度が異なることを特徴とする。頂部材と植物との接触を避けるため、頂部材は、プランターの真上に配置しないことが好ましい。そこで本願発明のように、固定脚と可動脚の傾斜角度を変えることで、一対の脚が二等辺三角形状ではなく、一方に偏った三角形状になり、頂部材の位置がプランターの中心から離れる。したがって頂部材と植物との接触を回避しやすく、また支柱をプランターの外縁付近に差し込むことができる。
【発明の効果】
【００１６】
請求項１記載の発明のように、プランター支持台について、開脚状に配置される一対の脚のうち、一本は頂部材と一体化した固定脚として、他の一本は回動可能な可動脚とするほか、プランターを載置するための枠体もヒンジ等を用いて屈曲可能な構造とすることで、使用時には可動脚を最大限まで開いて安定性を確保でき、しかも頂部材や脚を利用して植物の茎などを保持して、良好な栽培環境を維持できる。また本発明品を使用しない時は、可動脚および枠体を折り畳んで平面状に変形できるため、占有空間が少なく保管等の利便性が著しく向上する。さらに販売時についても、従来のように部品毎に分解する必要がなく、全体を組み上げた状態で出荷でき、購入者が組立作業をする必要もない。
【００１７】
請求項２記載の発明のように、可動脚が最も開いた状態において、固定脚と可動脚の傾斜角度脚が異なる構成とすることで、頂部材の位置がプランターの中心から離れる。したがってプランターの中央に植え付けられた植物が成長した場合でも、頂部材と植物の接触を回避でき、また植物を支える支柱をプランターの外縁付近に差し込むこともでき、さらにプランターの真上に頂部材が位置しないことから、給水作業も容易である。
【図面の簡単な説明】
【００１８】
【図１】本発明によるプランター支持台の構成を示す斜視図である。
【図２（Ａ）（Ｂ）】図１のプランター支持台を折り畳む際の状態を示す斜視図であり、（Ａ）は途中の段階で、（Ｂ）は最終の段階である。
【図３（Ａ）（Ｂ）】本発明によるプランター支持台の詳細形状を示しており、（Ａ）は正面図で、（Ｂ）は右側面図である。
【図４（Ａ）（Ｂ）】図３（Ａ）の各断面を示しており、（Ａ）はＡ−Ａ断面図で、（Ｂ）はＢ−Ｂ断面図である。
【図５（Ａ）（Ｂ）（Ｃ）】本発明によるプランター支持台を折り畳む際の状態を示しており、（Ａ）は途中の段階の右側面図で、（Ｂ）は最終の段階の右側面図で、（Ｃ）は最終の段階を図４（Ｂ）と同じ断面で見た図である。
【発明を実施するための形態】
【００１９】
図１は、本発明によるプランター支持台の構成を示している。なお本図は、脚２１を開いてプランターＰを載置可能な状態を描いている。開脚状に配置された二対計四本の脚２１によって頂部材１１が水平に配置され、脚２１の中央よりもやや下に、内部が切り抜かれた枠体３１が配置されている。頂部材１１は、脚２１を一体化する機能を有するほか、その上下面を貫通する上孔１２が複数形成されており、植物の茎などを支える支柱Ｖを差し込むことができる。また脚２１は、頂部材１１の端部から開脚状に配置される二本で一対となっており、この二本のうちの一本は、頂部材１１と不動状態で一体化されている固定脚２３で、他の一本は、回動によって開脚幅を変えることのできる可動脚２４である。この回動を実現するため、頂部材１１の下面には二枚一組の下垂片１３を備えており、この下垂片１３に可動脚２４の上端部を挟み込み、さらにこれらを貫通するボルト１６を差し込んで、その先部にナット１７を螺合している。したがって可動脚２４は、ボルト１６を支点として回動することになる。
【００２０】
脚２１は、頂部材１１の両端部に一対ずつ配置されており、いずれも図の手前側が可動脚２４で、奥側が固定脚２３で、不使用時は可動脚２４を固定脚２３の方に回動させて占有空間を削減することができる。なお固定脚２３と可動脚２４の傾斜角度は同一ではなく、可動脚２４の方が傾斜角度が大きく、より垂直に近い構成になっており、頂部材１１は可動脚２４側に偏っている。そのほか脚２１の側面には複数の側孔２６が形成されている。この側孔２６は、植物を支える横桟Ｙを差し込むためのもので、両側が同心に揃っており、横桟Ｙを左右二箇所で確実に支持できる。なお本図の脚２１はいずれも矩形断面だが、これに限定されることはなく、円断面などでも問題はない。
【００２１】
枠体３１はプランターＰを載置するためのもので、この内部にプランターＰを落とし込み、プランターＰ上面外周の額部Ｆを載置することができる。したがって枠体３１の形状は、組み込まれるプランターＰの形状に応じた大きさとする。また枠体３１は、対をなす固定脚２３と可動脚２４を結ぶように配置される横材３３と、両端の横材３３を結ぶ二本の縦材３４で構成され、横材３３の両端部が脚２１に取り付けられている。この横材３３は単純な棒材ではなく、可動脚２４の回動に追従できるよう、中間部分で分割されヒンジ３５を介して屈曲可能に連結されており、可動脚２４が閉じていく際、横材３３は、分割面３８が突出する山状に変形していく。なおヒンジ３５は横材３３の下面に取り付けられているため、支障なく山状に屈曲できるが、逆の谷状については、分割面３８同士が押し合うため屈曲できない。したがってプランターＰの自重で横材３３が屈曲することはない。
【００２２】
可動脚２４の回動に応じて横材３３が屈曲していく際は、横材３３と脚２１との交角も徐々に変化していく。そのため横材３３と脚２１を不動状態で一体化することはできず、縦材３４の長手方向を軸として、横材３３と脚２１の回動を許容する必要がある。そこで脚２１から横材３３に向けてボルト３６を差し込んで、双方が自在に回動できる構造になっており、さらにボルト３６の先部にナット３７を螺合して抜け落ちを防止している。なおボルト３６の取り付け位置は、可動脚２４を全開した際に枠体３１が水平になり、しかもプランターＰの下面が地面と接触しないよう、設計段階で配慮を要する。
【００２３】
図２は、図１のプランター支持台を折り畳む際の状態を示しており、図２（Ａ）は途中の段階で、図２（Ｂ）は最終の段階である。本発明品を保管などのため折り畳む際は、プランターＰを撤去した後、横材３３のヒンジ３５付近を持ち上げる。これによって横材３３が山形に屈曲すると同時に、ボルト３６を介して可動脚２４が固定脚２３側に引き寄せられ、図２（Ａ）のようになる。以降、可動脚２４を固定脚２３に向けて回動させていくと、横材３３の屈曲が次第に大きくなり、最終的には図２（Ｂ）のように、固定脚２３と可動脚２４が平行に並び、また横材３３はヒンジ３５を頂点として二つに折れ曲がり、全体が平面状になる。なお可動脚２４を折り畳む際、脚２１と枠体３１との干渉を防止するため、枠体３１は二対の脚２１の内側に配置することが好ましい。
【００２４】
図３は、本発明によるプランター支持台の詳細形状を示しており、図３（Ａ）は正面から見たもので、図３（Ｂ）は右側面から見たものである。図３（Ａ）では可動脚２４が手前にあり、固定脚２３はこの奥に位置しているため、図に描かれていない。図３（Ａ）のように、可動脚２４の上端部は、二枚の下垂片１３の間に挟まれており、これらを貫通するようにボルト１６が差し込まれており、その先端にナット１７が螺合させている。なお、図では下垂片１３と可動脚２４との境界に隙間があるが、この間にワッシャなどを介在させて、ガタ付き防止と併せて適度な回動抵抗を発生させることもできる。そのほか枠体３１は、ボルト３６とナット３７を介して脚２１に取り付けられている。
【００２５】
また図３（Ｂ）のように、固定脚２３と可動脚２４では傾斜角度が異なっており、頂部材１１は、プランターＰの中心からやや左に外れた位置にある。したがってプランターＰの中央付近に植えられた植物が上方に成長した場合でも、植物が頂部材１１と接触することを回避できる。さらに頂部材１１に形成された上孔１２に支柱Ｖを差し込むことで、本図のように植物を支えることも容易である。なお支柱Ｖは、下端部がプランターＰに埋め込まれており、しかも上孔１２に差し込まれているため、外力によって倒れることはない。
【００２６】
図４は、図３（Ａ）の各断面を示しており、図４（Ａ）はＡ−Ａ断面で、図４（Ｂ）はＢ−Ｂ断面である。図４（Ａ）のように、横材３３の端部は全てボルト３６およびナット３７を介して固定脚２３または可動脚２４に取り付けられており、ボルト３６を軸として回動が許容されているため、可動脚２４の移動に無理なく追従することができる。なお、図では脚２１と横材３３との境界に隙間があるが、ここにもワッシャなどを介在させてもよい。また図４（Ｂ）のように、可動脚２４や枠体３１を取り付けているボルト１６、３６およびナット１７、３７は、美感を考慮してナット１７、３７を内側に配置することが好ましい。
【００２７】
図５は、本発明によるプランター支持台を折り畳む際の状態を示しており、図５（Ａ）は途中の段階を右側面から見たもので、図５（Ｂ）は最終の段階を右側面から見たもので、図５（Ｃ）は最終の段階を図４（Ｂ）と同じ断面で見たものである。図５（Ａ）のように可動脚２４が閉じていくに連れて横材３３が山状に屈曲していき、図５（Ｂ）では脚２１と枠体３１が同一面上に並び、脚２１によって奥の枠体３１が覆い隠されている。なお図５（Ｃ）のように、脚２１が折り畳まれた際は、折れ曲がった横材３３の間にヒンジ３５が挟み込まれている。
【符号の説明】
【００２８】
１１  頂部材
１２  上孔
１３  下垂片
１６  ボルト
１７  ナット
２１  脚
２３  固定脚
２４  可動脚
２６  側孔
３１  枠体
３３  横材
３４  縦材
３５  ヒンジ
３６  ボルト
３７  ナット
３８  分割面
Ｆ    額部（プランターの）
Ｐ    プランター
Ｖ    支柱
Ｙ    横桟
【図１】
2010207101.tif 000003
【図２（Ａ）（Ｂ）】
2010207101.tif 000004
【図３（Ａ）（Ｂ）】
2010207101.tif 000005
【図４（Ａ）（Ｂ）】
2010207101.tif 000006
【図５（Ａ）（Ｂ）（Ｃ）】
2010207101.tif 000007